(57)【要約】【課題】  ファクシミリデータの管理を容易にする。【解決手段】  ファクシミリ装置１００は、ファクシミリデータを受信する送受信部１１６と、送受信部１１６が受信したファクシミリデータに関する通信情報を所定の形式の２次元コード情報に変換する２次元コード情報生成部１１４と、送受信部１１６が受信したファクシミリデータと当該ファクシミリデータに関する通信情報の２次元コード情報とを同時に印刷する印刷部１２０と、を含む。【選択図】        図１
2006080811.tif 000002
【特許請求の範囲】
【請求項１】
ファクシミリデータを受信する受信手段と、
前記受信手段が受信したファクシミリデータに関する通信情報を所定の形式の２次元コード情報に変換する変換手段と、
前記受信手段が受信したファクシミリデータと当該ファクシミリデータに関する通信情報の２次元コード情報とを同時に印刷する印刷手段と、
を含むことを特徴とするファクシミリ装置。
【請求項２】
請求項１に記載のファクシミリ装置において、
前記受信手段が受信したファクシミリデータと、当該ファクシミリデータに関する通信情報の２次元コード情報とを含むイメージデータを生成するイメージデータ生成手段をさらに含み、
前記印刷手段は、前記イメージデータを印刷することを特徴とするファクシミリ装置。
【請求項３】
請求項１または２に記載のファクシミリ装置において、
前記受信手段は、前記ファクシミリデータに関する通信情報が文字情報で示されたヘッダ情報として受信し、
前記変換手段は、前記ヘッダ情報を２次元コード情報に変換することを特徴とするファクシミリ装置。
【請求項４】
請求項１乃至３いずれかに記載のファクシミリ装置において、
ファクシミリデータの送信指示を受け付ける指示受付手段と、
前記指示受付手段が受け付けたファクシミリデータの送信指示に基づき、当該ファクシミリデータを送信する送信手段と、
をさらに含み、
前記変更手段は、前記送信受付手段が送信指示を受け付けたファクシミリデータに関する通信情報を前記所定の形式の２次元コード情報に変換し、
前記印刷手段は、前記送信受付手段が送信指示を受け付けたファクシミリデータと当該ファクシミリデータに関する通信情報の２次元コード情報とを同時に印刷することを特徴とするファクシミリ装置。
【請求項５】
ファクシミリデータの送信指示を受け付ける指示受付手段と、
前記指示受付手段が受け付けたファクシミリデータの送信指示に基づき、当該ファクシミリデータを送信する送信手段と、
前記送信受付手段が送信指示を受け付けたファクシミリデータに関する通信情報を所定の形式の２次元コード情報に変換する変換手段と、
前記送信受付手段が送信指示を受け付けたファクシミリデータの少なくとも一部と当該ファクシミリデータに関する通信情報の２次元コード情報とを同時に印刷する印刷手段と、
を含むことを特徴とするファクシミリ装置。
【請求項６】
請求項５に記載のファクシミリ装置において、
前記送信受付手段が送信指示を受け付けたファクシミリデータの少なくとも一部と当該ファクシミリデータに関する通信情報の２次元コード情報とを含むイメージデータを生成するイメージデータ生成手段をさらに含み、
前記印刷手段は、前記イメージデータを印刷することを特徴とするファクシミリ装置。
【請求項７】
請求項５または６に記載のファクシミリ装置において、
前記変換手段は、前記送信受付手段が受け付けた送信指示を前記ファクシミリデータに関する通信情報として、２次元コード情報に変換することを特徴とするファクシミリ装置。
【請求項８】
請求項５乃至７いずれかに記載のファクシミリ装置において、
前記送信手段による前記ファクシミリデータの送信結果を取得する送信結果取得手段をさらに含み、
前記変換手段は、前記送信結果取得手段が取得した送信結果を前記ファクシミリデータに関する通信情報として、２次元コード情報に変換することを特徴とするファクシミリ装置。
【請求項９】
請求項４乃至８いずれかに記載のファクシミリ装置において、
所定の形式の２次元コード情報をデコードするデコード手段をさらに含み、
前記指示受付手段は、ファクシミリデータの送信指示を前記所定の形式の２次元コード情報で受け付け、
前記送信手段は、前記デコード手段によりデコードされた前記送信指示に基づき、前記ファクシミリデータを送信することを特徴とするファクシミリ装置。
【発明の詳細な説明】
【技術分野】
【０００１】
この発明は、ファクシミリ装置に関し、とくに２次元コード情報を取り扱うファクシミリ装置に関する。
【背景技術】
【０００２】
近年、水平方向および垂直方向の２次元方向に情報を持つ２次元コード情報が普及してきている。２次元コードは、一次元コードに比べて大容量の情報を扱うことができるため、コード自体に種々の情報を持たせることが可能である。
【０００３】
特許文献１には、プリンタ装置が端末装置から依頼された印刷データを印刷する際に、用紙上端部と用紙下端部にそれぞれ印刷データを識別する情報と、印刷状態を識別するための情報が含まれたバーコードを印刷データとともに印刷し、用紙排出口にて前記バーコードを読み取ることにより印刷の状態を識別し、印刷履歴として管理するように構成されたシステムが開示されている。ここで、用紙排出口にバーコードリーダが設けられており、用紙排出口にてバーコードを読み取ることにより、印刷の状態を識別して、用紙排出が完了したことをユーザに通知できるようになっている。
【特許文献１】特開２００４−９０２３５号公報
【発明の開示】
【発明が解決しようとする課題】
【０００４】
ところで、ファクシミリ装置は、一般的にファクシミリ送信機能、印刷機能、原稿読取機能等を有する。このようなファクシミリ装置においては、印刷機能を用いて紙媒体等に２次元コード情報を印刷することが可能である。また、原稿読取機能を用いて紙媒体等に印刷された２次元コード情報を読み取ることも可能である。そのため、このようなファクシミリ装置においては、特別な装置を付加することなく、２次元コード情報を取り扱うことが容易である。
【０００５】
本発明はこうした点に鑑みてなされたもので、その目的は、ファクシミリデータの管理を容易にする技術の提供にある。
【課題を解決するための手段】
【０００６】
本発明によれば、ファクシミリデータを受信する受信手段と、前記受信手段が受信したファクシミリデータに関する通信情報を所定の形式の２次元コード情報に変換する変換手段と、前記受信手段が受信したファクシミリデータと当該ファクシミリデータに関する通信情報の２次元コード情報とを同時に印刷する印刷手段と、を含むことを特徴とするファクシミリ装置が提供される。
【０００７】
所定の形式の２次元コード情報は、たとえばＱＲコードとすることができる。
【０００８】
ここで、ファクシミリデータと２次元コード情報とは、同じ紙に印刷してもよく、異なる紙に続けて印刷してもよい。
【０００９】
このように、ファクシミリデータとともにファクシミリデータに関する通信情報を示す２次元コード情報を印刷しておくことにより、後に紙媒体に印刷した２次元コード情報部分をデコードして文字情報に変換することができ、ファクシミリデータに関する通信情報を文字情報として取得することができる。これにより、ファクシミリデータの管理を容易にすることができる。
【００１０】
本発明のファクシミリ装置は、前記受信手段が受信したファクシミリデータと、当該ファクシミリデータに関する通信情報の２次元コード情報とを含むイメージデータを生成するイメージデータ生成手段をさらに含むことができ、前記印刷手段は、前記イメージデータを印刷することができる。
【００１１】
２次元コード情報は小さい領域に大容量の情報を含めることができるため、ファクシミリデータの余白に含めてイメージデータを生成することができる。このようなイメージデータを印刷することにより、余分な紙を用いることなく、ファクシミリデータに関する通信情報をファクシミリデータと同じ紙に印刷することができる。
【００１２】
本発明のファクシミリ装置において、前記受信手段は、前記ファクシミリデータに関する通信情報を文字情報で示されたヘッダ情報として受信することができ、前記変換手段は、前記ヘッダ情報を２次元コード情報に変換することができる。
【００１３】
ここで、ヘッダ情報は、たとえば、発信元名、発信元電話番号、受信日時等を含むことができる。このようなヘッダ情報を２次元コード情報に変換しておくことにより、後に紙媒体に印刷した２次元コード情報部分をデコードして文字情報に変換することができ、ヘッダ情報を文字情報として取得することができるので、ファクシミリデータの管理を容易にすることができる。
【００１４】
本発明のファクシミリ装置は、ファクシミリデータの送信指示を受け付ける指示受付手段と、前記指示受付手段が受け付けたファクシミリデータの送信指示に基づき、当該ファクシミリデータを送信する送信手段と、をさらに含むことができ、前記変更手段は、前記送信受付手段が送信指示を受け付けたファクシミリデータに関する通信情報を前記所定の形式の２次元コード情報に変換することができ、前記印刷手段は、前記送信受付手段が送信指示を受け付けたファクシミリデータと当該ファクシミリデータに関する通信情報の２次元コード情報とを同時に印刷することができる。
【００１５】
本発明によれば、ファクシミリデータの送信指示を受け付ける指示受付手段と、前記指示受付手段が受け付けたファクシミリデータの送信指示に基づき、当該ファクシミリデータを送信する送信手段と、前記送信受付手段が送信指示を受け付けたファクシミリデータに関する通信情報を所定の形式の２次元コード情報に変換する変換手段と、前記送信受付手段が送信指示を受け付けたファクシミリデータの少なくとも一部と当該ファクシミリデータに関する通信情報の２次元コード情報とを同時に印刷する印刷手段と、を含むことを特徴とするファクシミリ装置が提供される。
【００１６】
ここで、ファクシミリデータに関する通信情報は、たとえば送信先名、送信先電話番号等、送信日時、送信結果等を含むことができる。ファクシミリデータは全部印刷されてもよく、一部のみが印刷されてもよい。ファクシミリデータと２次元コード情報とは、同じ紙に印刷してもよく、異なる紙に続けて印刷してもよい。
【００１７】
このような通信情報を２次元コード情報に変換しておくことにより、後に紙媒体に印刷した２次元コード情報部分をデコードして文字情報に変換することができ、通信情報を文字情報として取得することができるので、ファクシミリデータの管理を容易にすることができる。
【００１８】
本発明のファクシミリ装置は、前記送信受付手段が送信指示を受け付けたファクシミリデータの少なくとも一部と当該ファクシミリデータに関する通信情報の２次元コード情報とを含むイメージデータを生成するイメージデータ生成手段をさらに含むことができ、前記印刷手段は、前記イメージデータを印刷することができる。
【００１９】
２次元コード情報は小さい領域に大容量の情報を含めることができるため、ファクシミリデータの余白に含めてイメージデータを生成することができる。このようなイメージデータを印刷することにより、余分な紙を用いることなく、ファクシミリデータに関する通信情報をファクシミリデータとともに印刷することができる。
【００２０】
本発明のファクシミリ装置において、前記変換手段は、前記送信受付手段が受け付けた送信指示を前記ファクシミリデータに関する通信情報として、２次元コード情報に変換することができる。
【００２１】
ここで、送信指示は、送信先名、送信先電話番号、送信予定日時、リトライ回数等である。このような送信指示をファクシミリデータとともに印刷しておくことにより、たとえばエラーが生じてファクシミリデータを送信することができなかった場合等に、２次元コード情報をデコードして送信指示内容を文字情報として取得することにより、同じ処理を繰り返したり、再度ファクシミリデータを送信するか否かの判断に用いることができ、ファクシミリデータの管理を容易に行うことができる。
【００２２】
本発明のファクシミリ装置は、前記送信手段による前記ファクシミリデータの送信結果を取得する送信結果取得手段をさらに含むことができ、前記変換手段は、前記送信結果取得手段が取得した送信結果を前記ファクシミリデータに関する通信情報として、２次元コード情報に変換することができる。
【００２３】
ファクシミリ装置は、たとえば送信エラーが発生した原稿に対してエラー情報などを２次元コード情報として付加することができる。また、ファクシミリ装置は、たとえば送信終了した原稿に対して発信日時・宛先情報等の送信情報を２次元コード情報として付加することができる。これにより、２次元コード情報を読み取ってデコードすることにより、ファクシミリ原稿へどのような処理が行われたかを判断することができる。
【００２４】
本発明のファクシミリ装置は、所定の形式の２次元コード情報をデコードするデコード手段をさらに含むことができ、前記指示受付手段は、ファクシミリデータの送信指示を前記所定の形式の２次元コード情報で受け付けることができ、前記送信手段は、前記デコード手段によりデコードされた前記送信指示に基づき、前記ファクシミリデータを送信することができる。
【００２５】
ここで、送信指示は、送信先名、送信先電話番号、送信予定日時、リトライ回数等である。このようにすれば、送信エラーが発生した原稿を再送する際に、再度送信先名、送信先電話番号、送信予定日時、リトライ回数等をファクシミリ装置の操作手段から選択して入力する必要なく、ファクシミリデータの送信設定を行うことができる。
【００２６】
なお、以上の構成要素の任意の組合せ、本発明の表現を方法、装置、システム、記録媒体、コンピュータプログラムなどの間で変換したものもまた、本発明の態様として有効である。
【発明の効果】
【００２７】
本発明によれば、ファクシミリデータの管理を容易にすることができる。
【発明を実施するための最良の形態】
【００２８】
本実施の形態におけるファクシミリ装置は、文字情報で示されたデータを２次元コード情報に変換する機能を有する。ここで、２次元コード情報は、一般的に２次元コード情報として知られている種々のものを用いることができるが、たとえばＱＲコードを用いることができる。
【００２９】
図１は、本実施の形態におけるファクシミリ装置１００の構成を示すブロック図である。
ファクシミリ装置１００は、指示受付部１０２、原稿読取部１０４、データ記録部１０６、データ記憶部１０８、制御部１１０、データ読出部１１２、２次元コード情報生成部１１４、送受信部１１６、画像データ生成部１１８、印刷部１２０、および設定記憶部１２２を含む。
【００３０】
ファクシミリ装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心にハードウエアとソフトウエアの任意の組合せによって実現される。そして、その実現方法、装置にはいろいろな変形例があることは、当業者には理解されるところである。実施の形態で説明する各図は、ハードウエア単位の構成ではなく、機能単位のブロックを示している。なお、図１において、本発明の本質に関わらない部分の構成については省略してある。
【００３１】
送受信部１１６は、ネットワーク１５０を介して他の端末からファクシミリデータを受信したり、他の端末にファクシミリデータを送信する。本実施の形態において、ネットワーク１５０は、たとえばＰＳＴＮ（公衆交換電話網）である。ファクシミリ装置１００は、ネットワーク１５０を介して、Ｇ３ファクシミリ装置等と通信する。また、他の例において、ネットワーク１５０は、インターネット等とすることもでき、ファクシミリ装置１００は、インターネット等を介して他のネットワークファクシミリ装置やＥメール端末とデータの送受信を行うこともできる。
【００３２】
データ記録部１０６は、送受信部１１６が受信したファクシミリデータおよびそのファクシミリデータに関する通信情報を対応づけてデータ記憶部１０８に記憶する。ここで、通信情報は、たとえばファクシミリデータのヘッダ情報である。ヘッダ情報は、たとえば、ファクシミリデータの発信元名、発信元電話番号、受信日時等を含む。
【００３３】
データ読出部１１２は、データ記憶部１０８からファクシミリデータとその通信情報とを読み出す。
【００３４】
２次元コード情報生成部１１４は、文字情報を２次元コード情報に変換する。本実施の形態において、２次元コード情報生成部１１４は、ファクシミリデータの通信情報を示す文字情報を２次元コード情報に変換する。
【００３５】
画像データ生成部１１８は、ファクシミリデータと、２次元コード情報生成部１１４が変換した２次元コード情報とを含むイメージデータを生成する。印刷部１２０は、画像データ生成部１１８が生成したイメージデータを印刷する。
【００３６】
ここで、画像データ生成部１１８は、ファクシミリデータとその通信情報を２次元コード化した２次元コード情報とを１ページのイメージデータに含めることができる。ファクシミリデータと２次元コード情報とを同一ページに含めることにより、イメージデータを印刷する際の紙の無駄遣いを防ぐことができる。他の例として、画像データ生成部１１８は、２次元コード情報とファクシミリデータとを異なるページのイメージデータとすることもできる。
【００３７】
画像データ生成部１１８は、ファクシミリデータの全部を含むようにイメージデータを生成することもできるが、ファクシミリデータの一部と２次元コード情報とを１ページに含むイメージデータを生成することもできる。印刷部１２０は、ファクシミリデータと２次元コード情報とが異なるページのイメージデータとして生成された場合、これらが関連づけられていることがわかるように、連続して印刷する等の処理を行う。
【００３８】
指示受付部１０２は、ユーザからの各種指示を受け付ける。原稿読取部１０４は、紙媒体等の原稿を読み取り、読み取った原稿に基づき、ファクシミリデータを生成する。
【００３９】
データ記録部１０６は、原稿読取部１０４が生成したファクシミリデータをデータ記憶部１０８に記憶する。このとき、データ記録部１０６は、ファクシミリデータに、その通信情報を対応づけて記憶することができる。ここで、通信情報は、たとえば送信先名、送信先電話番号等、送信日時、送信結果等を含む。また、指示受付部１０２がファクシミリデータの送信指示を受け付けた場合、データ記録部１０６は、ファクシミリデータの送信結果をデータ記憶部１０８に記憶されているファクシミリデータに対応づけて記憶する。
【００４０】
制御部１１０は、ファクシミリ装置１００の各構成要素を制御する。設定記憶部１２２は、ファクシミリ装置１００が受信したファクシミリデータを印刷するか否かや、ファクシミリ装置１００が受信したファクシミリデータとともにその通信情報を印刷するか否か等の設定を記憶する。
【００４１】
図２は、本実施の形態におけるファクシミリ装置１００の処理手順の一例を示すフローチャートである。ここでは、送受信部１１６がファクシミリデータを受信した場合の処理を例として説明する。
【００４２】
送受信部１１６がファクシミリデータを受信すると（Ｓ１０のＹＥＳ）、制御部１１０は、受信したファクシミリデータを印刷するか否かを判断する（Ｓ１２）。制御部１１０は設定記憶部１２２を参照して、送受信部１１６が受信したファクシミリデータを印刷するか否かを判断する。また、ここで、データ記録部１０６は、制御部１１０の指示に基づき、送受信部１１６が受信したファクシミリデータをそのヘッダ情報等とともにデータ記憶部１０８に一時的に記憶しておく。
【００４３】
ファクシミリデータを印刷する場合（Ｓ１２のＹＥＳ）、制御部１１０は、ファクシミリデータとともにその通信情報も印刷するか否かを判断する（Ｓ１４）。制御部１１０は、設定記憶部１２２を参照して、ファクシミリデータとともにその通信情報も印刷するか否かを判断する。
【００４４】
通信情報も印刷する場合（Ｓ１４のＹＥＳ）、制御部１１０の指示に基づき、データ読出部１１２はデータ記憶部１０８から該当するファクシミリデータおよびヘッダ情報等を読み出す。ここで、データ読出部１１２は、ヘッダ情報を２次元コード情報生成部１１４に送出する。２次元コード情報生成部１１４は、ヘッダ情報を２次元コード情報に変換する（Ｓ１６）。
【００４５】
画像データ生成部１１８は、データ読出部１１２が読み出したファクシミリデータの余白等に２次元コード情報生成部１１４が生成した２次元コード情報を埋め込み、イメージデータを生成する（Ｓ１８）。
【００４６】
印刷部１２０は、画像データ生成部１１８が生成したイメージデータを印刷する。
【００４７】
このようにすれば、送受信部１１６が受信したファクシミリデータが、２次元コード情報で示されたその通信情報とともに印刷される。そのため、後に、印刷された原稿の２次元コード情報部分を読み取ってデコードして文字情報に変換することができ、ファクシミリデータに関する通信情報を文字情報として取得することができる。これにより、ファクシミリデータの管理を容易にすることができる。
【００４８】
図３は、本実施の形態におけるファクシミリ装置１００の処理手順の他の例を示すフローチャートである。ここでは、ユーザの指示に基づき、原稿読取部１０４から読み取った原稿をネットワーク１５０を介して他の端末に送信する処理を行った場合を例として説明する。
【００４９】
ユーザからファクシミリデータの送信指示があると（Ｓ３０のＹＥＳ）、制御部１１０は、送信対象のファクシミリデータを取得したか否かを判断する（Ｓ３２）。ファクシミリデータは、原稿読取部１０４から読み取った原稿に基づき生成されたものとすることもでき、また、図示しないたとえばＬＡＮ等のプライベートネットワークを介して他の端末から送信されたものとすることもできる。データ記録部１０６は、取得したファクシミリデータをデータ記憶部１０８に一時的に記憶する。指示受付部１０２が、ユーザからファクシミリデータの送信先名、送信先電話番号、送信予定日時、リトライ回数等の送信指示を受け付けた場合、データ記録部１０６は、これらの送信指示をファクシミリデータに対応づけてデータ記憶部１０８に記憶する（Ｓ３４）。
【００５０】
送受信部１１６は、制御部１１０の指示に基づき、ファクシミリデータを所望の送信先に送信する処理を行う（Ｓ３６）。送信が完了、または所定の条件の下で送信不能であった場合、送信終了と判断して（Ｓ３８のＹＥＳ）、送信結果をファクシミリデータに対応づけてデータ記憶部１０８に記憶する（Ｓ４０）。
【００５１】
つづいて、制御部１１０は、送信結果を印刷するか否かを判断する（Ｓ４２）。制御部１１０は、設定記憶部１２２を参照して、送信結果を印刷するか否かを判断することができる。設定記憶部１２２には、たとえば送信エラーが生じた場合等、送信結果の種類に対応づけて送信結果を印刷するか否かを記憶しておくことができる。送信結果を印刷すると判断した場合（Ｓ４２のＹＥＳ）、データ読出部１１２は、データ記憶部１０８からファクシミリデータに対応づけられた送信指示や送信結果を読み出し、２次元コード情報生成部１１４に送出する。２次元コード情報生成部１１４はこれらを２次元コード情報に変換する（Ｓ４４）。つづいて、データ読出部１１２は、データ記憶部１０８からファクシミリデータを読み出し、画像データ生成部１１８は、ファクシミリデータの余白等に２次元コード情報生成部１１４が生成した２次元コード情報を埋め込み、イメージデータを生成する（Ｓ４６）。
【００５２】
印刷部１２０は、画像データ生成部１１８が生成したイメージデータを印刷する。
【００５３】
このようにすれば、送受信部１１６が送信処理を行ったファクシミリデータが、２次元コード情報で示されたその通信情報とともに印刷される。そのため、たとえば送信エラー等が生じて再送信する必要がある原稿の２次元コード情報部分を読み取ってデコードして文字情報に変換することができ、ファクシミリデータに関する通信情報を文字情報として取得することができる。これにより、再送信の処理を簡易にすることができるとともにファクシミリデータの管理を容易にすることができる。
【００５４】
図４は、図３を参照して説明したファクシミリ装置１００の処理手順において、ファクシミリデータと２次元コード情報とを含む原稿が印刷された状態を示す図である。
【００５５】
ここで、原稿３００は、送信対象のファクシミリデータである（１）。ユーザが通信情報として、「送信先：0123456789／送信日時：2004/8/20  15:00／通信時間：１分／ページ数：１ページ」という送信指示を入力し、通信結果がエラーだった場合、データ記憶部１０８には、ファクシミリデータ３００に対応づけて通信情報を示す文字情報３０２が記憶されている（２）。２次元コード情報生成部１１４は、通信情報を示す文字情報を２次元コード情報３０４に変換する（３）。画像データ生成部１１８は、ファクシミリデータ３００と２次元コード情報３０４とを含むイメージデータを生成し、印刷部１２０は、そのイメージデータを印刷して原稿３０６を出力する（４）。
【００５６】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５７】
以上の実施の形態において図示していないが、ファクシミリ装置１００は、２次元コード情報をデコードして文字情報に変換する２次元コード情報デコード部をさらに含むことができる。この機能により、印刷部１２０から印刷された原稿に含まれる２次元コード情報をデコードして文字情報に変換することができる。このようにすれば、たとえば、ファクシミリデータの再送を行う場合等に、再度送信先等の通信情報を入力する必要なく、２次元コード情報をデコードして得られた文字情報を用いて再送の処理を行うことができる。また、ファクシミリ装置１００が受信したファクシミリデータの送信元等の情報を文字情報として取得することができるので、それらを用いてたとえばアドレス登録等を行うこともできる。
【００５８】
ファクシミリ装置１００は、ファクシミリ、プリンタ、コピー、スキャナ機能等を統合したネットワーク複合機とすることができる。ここで、ネットワーク複合機は、たとえばネットワークファクシミリ装置やＭＦＰ（Multi Functional Peripheral）等である。
【００５９】
また、図３を参照して説明した例では、画像データ生成部１１８が、ファクシミリデータと２次元コード情報とを含むイメージデータを生成し、印刷部１２０がそのイメージデータを印刷する形態を説明したが、印刷部１２０は、原稿読取部１０４が読み取った原稿の余白に２次元コード情報を印刷するように構成することもできる。このようにすれば、もともとの原稿にその原稿に対する通信情報を示す２次元コード情報が付加されるだけなので、紙を無駄に使うことなく、ファクシミリデータの管理を簡易化することができる。
【図面の簡単な説明】
【００６０】
【図１】実施の形態におけるファクシミリ装置の構成を示すブロック図である。
【図２】実施の形態におけるファクシミリ装置の処理手順の一例を示すフローチャートである。
【図３】実施の形態におけるファクシミリ装置の処理手順の他の例を示すフローチャートである。
【図４】図３を参照して説明したファクシミリ装置の処理手順において、ファクシミリデータと２次元コード情報とを含む原稿が印刷された状態を示す図である。
【符号の説明】
【００６１】
１００  ファクシミリ装置
１０２  指示受付部
１０４  原稿読取部
１０６  データ記録部
１０８  データ記憶部
１１０  制御部
１１２  データ読出部
１１４  ２次元コード情報生成部
１１６  送受信部
１１８  画像データ生成部
１２０  印刷部
１２２  設定記憶部
１５０  ネットワーク
【図１】
2006080811.tif 000003
【図２】
2006080811.tif 000004
【図３】
2006080811.tif 000005
【図４】
2006080811.tif 000006